(57)【要約】【課題】１素子で高利得かつ広帯域を実現可能なマイクロストリップラインアンテナを提供する。【解決手段】マイクロストリップラインアンテナ１１は、マイクロストリップライン導体２と、グランド導体３と、誘電体４１と、を備えている。マイクロストリップライン導体２は、その一端と他端を近接させてループ状に形成され、当該ループの１周の長さが概ね１波長である。グランド導体３は、マイクロストリップライン導体２と平行に配置される。誘電体４１は、マイクロストリップライン導体２から見てグランド導体３が配置されている側と反対側に配置される。【選択図】図１
2010041465.tif 000002
【特許請求の範囲】
【請求項１】
一端と他端を近接させてループ状に形成され、当該ループの１周の長さが概ね１波長であるマイクロストリップライン導体と、
前記マイクロストリップライン導体と平行に配置されたグランド導体と、
前記マイクロストリップライン導体から見て前記グランド導体が配置されている側と反対側に配置された誘電体と、
を備えたことを特徴とするマイクロストリップラインアンテナ。
【請求項２】
請求項１に記載のマイクロストリップラインアンテナであって、
前記誘電体が回転体状に形成されていることを特徴とするマイクロストリップラインアンテナ。
【請求項３】
請求項２に記載のマイクロストリップラインアンテナであって、
前記誘電体が半球状に形成されていることを特徴とするマイクロストリップラインアンテナ。
【請求項４】
請求項２に記載のマイクロストリップラインアンテナであって、
前記誘電体が円柱状に形成されていることを特徴とするマイクロストリップラインアンテナ。
【請求項５】
請求項２から４までの何れか一項に記載のマイクロストリップラインアンテナであって、
前記誘電体の直径は、前記マイクロストリップライン導体の外形輪郭に外接する円の直径と略一致するように構成されていることを特徴とするマイクロストリップラインアンテナ。
【請求項６】
請求項１から５までの何れか一項に記載のマイクロストリップラインアンテナであって、
前記マイクロストリップライン導体は、一端が給電部に接続され、他端が整合終端部に接続されていることを特徴とするマイクロストリップラインアンテナ。
【請求項７】
請求項６に記載のマイクロストリップラインアンテナであって、
前記給電部及び前記整合終端部の接続先である前記マイクロストリップライン導体の両端を切替可能に構成されていることを特徴とするマイクロストリップラインアンテナ。
【発明の詳細な説明】
【技術分野】
【０００１】
本発明は、マイクロストリップラインアンテナの構成に関する。
【背景技術】
【０００２】
小型且つ高利得のアンテナを得ることを目的として、各種の構成のアンテナが提案されている。このようなアンテナとしては、例えば以下の特許文献が開示する構成のものがある。
【特許文献１】特開２０００−２０９０２２号公報
【特許文献２】特開２００５−１３０４６４号公報
【０００３】
一方、従来よりマイクロストリップラインアンテナが知られている。マイクロストリップラインアンテナは、マイクロストリップラインからの輻射を利用したアンテナである。このようなマイクロストリップラインアンテナとしては、例えば特許文献３が開示する構成のものがある。
【特許文献３】特許第２７１９５９２号公報
【０００４】
従来のマイクロストリップラインアンテナの例を図１１に示す。図に示すように、このマイクロストリップラインアンテナ１０１は、誘電体層１０５の表面に形成されたマイクロストリップライン導体１０２と、誘電体層１０５の背面に形成されたグランド導体１０３を主に備えている。
【０００５】
マイクロストリップライン導体１０２は、給電ポート１０２ａと、整合終端ポート１０２ｂと、を備える。給電ポート１０２ａは図略の給電装置に、整合終端ポート１０２ｂは図略の整合負荷に、それぞれ接続されている。この構成で、給電装置によって給電ポート１０２ａに高周波電流を供給することにより、マイクロストリップライン導体１０２に進行波が伝播する。上記進行波はマイクロストリップライン導体１０２上を折曲して進行するため、前記進行波の線路波長に対してマイクロストリップライン導体１０２の形状を適切に形成することにより、所定周波数帯域の円偏波又は直線偏波を送受信することが可能である。このようなマイクロストリップラインアンテナは、進行波型アンテナであるため広帯域性に優れている。
【発明の開示】
【発明が解決しようとする課題】
【０００６】
上記のマイクロストリップライン導体１０２の形状としては、図１１に示すクランク型以外にも例えばランパート型、チェイン型、ループ型等が知られているが、何れの場合も１素子では放射効率が低いため、図１１のようにアレイ化が必要であった。そのため、アンテナが大型化するとともに、パッチアンテナのような広い指向角を実現することが困難であった。
【０００７】
また、従来のマイクロストリップアンテナは放射効率を上げるためにライン幅を太くする必要があり、この点でもアンテナが大型化していた。更に、放射効率を上げるために誘電体損失の小さい高価な材料を用いなければならず、コストも高価なものになっていた。
【０００８】
また、図１１のように多数の素子を形成してマイクロストリップライン導体１０２が長くなると、進行波型アンテナであるため、給電ポート１０２ａと整合終端ポート１０２ｂとで電流分布が非対称となってしまい、この点でも改善の余地が残されていた。
【０００９】
本願発明は以上の事情に鑑みてされたものであり、その目的は、１素子で高利得かつ広帯域を実現可能なマイクロストリップラインアンテナを提供することにある。
【課題を解決するための手段及び効果】
【００１０】
本発明の解決しようとする課題は以上の如くであり、次にこの課題を解決するための手段とその効果を説明する。
【００１１】
本発明の観点によれば、以下の構成のマイクロストリップラインアンテナが提供される。即ち、このマイクロストリップラインアンテナは、マイクロストリップライン導体と、グランド導体と、誘電体と、を備える。前記マイクロストリップライン導体は、その一端と他端を近接させてループ状に形成され、当該ループの１周の長さが概ね１波長である。前記グランド導体は、前記マイクロストリップライン導体と平行に配置される。前記誘電体は、前記マイクロストリップライン導体から見て前記グランド導体が配置されている側と反対側に配置される。なお、「長さが概ね１波長」とは、電気的に見たときのマイクロストリップライン導体の長さ（電気長）が概ね１波長であることをいう。
【００１２】
これにより、マイクロストリップラインアンテナの特徴である広帯域性を損なうことなく、誘電体を配置することにより利得を向上させることができる。従って、１素子で高利得かつ広帯域を実現する円偏波マイクロストリップラインアンテナを提供することができる。また、１素子で高利得を実現できるためにアレイ化する必要がなく、これにより小型で広い指向角を持つアンテナを提供することができる。
【００１３】
前記のマイクロストリップラインアンテナにおいては、前記誘電体が回転体状に形成されていることが好ましい。
【００１４】
これにより、良好に円偏波を発生させることができる。
【００１５】
前記のマイクロストリップラインアンテナにおいては、前記誘電体が半球状に形成されていることが好ましい。
【００１６】
即ち、誘電体を上記のように構成することにより、マイクロストリップラインアンテナの特徴である広帯域特性を維持しつつ、放射効率を大幅に向上させることができる。
【００１７】
前記のマイクロストリップラインアンテナにおいては、前記誘電体が円柱状に形成されているように構成することもできる。
【００１８】
即ち、誘電体を上記のように構成することにより、マイクロストリップラインアンテナの特徴である広帯域特性を維持しつつ、放射効率を大幅に向上させることができる。
【００１９】
前記のマイクロストリップラインアンテナにおいては、前記誘電体の直径は、前記マイクロストリップライン導体の外形輪郭に外接する円の直径と略一致するように構成されていることが好ましい。
【００２０】
これにより、マイクロストリップライン導体から誘電体に対して良好に給電することができる。
【００２１】
前記のマイクロストリップラインアンテナにおいては、前記マイクロストリップライン導体は、一端が給電部に接続され、他端が整合終端部に接続されていることが好ましい。
【００２２】
即ち、マイクロストリップラインは整合ラインで良く、送受信回路との接続にインピーダンス変換回路を必要としないため、上記のように構成することが好適である。
【００２３】
前記のマイクロストリップラインアンテナにおいては、前記給電部及び前記整合終端部の接続先である前記マイクロストリップライン導体の両端を切替可能に構成されていることが好ましい。
【００２４】
これにより、右旋円偏波と左旋円偏波を切り替えて容易に対応することができる。
【発明を実施するための最良の形態】
【００２５】
次に、図面を参照して発明の実施の形態を説明する。図１は、本発明の一実施形態に係る円偏波マイクロストリップラインアンテナ１１の外観斜視図である。図２はマイクロストリップラインアンテナ１１の側面図、図３はマイクロストリップラインアンテナ１１の平面図である。
【００２６】
図１から図３に示す本実施形態のマイクロストリップラインアンテナ１１は、マイクロストリップライン導体２と、グランド導体３と、誘電体４１と、を主に備えている。
【００２７】
マイクロストリップライン導体２は一定の厚みを有する扁平な金属部材とされている。また、ループ導体２はその一端と他端を近接させて略Ｃ字形（一部を切り欠いた円形）のループ状に形成さるとともに、当該ループの線幅が一定となるように構成されている。マイクロストリップライン導体２の下側には、前記Ｃ字形（ループ形状）を含む平面と平行になるように平板状のグランド導体３が配置されている。図２に示すように、マイクロストリップライン導体２とグランド導体３との間には空隙５が形成されている。
【００２８】
前記マイクロストリップライン導体２の一端には第１接続部２ａ、他端には第２接続部２ｂが形成されている。また、前記グランド導体３の裏側（マイクロストリップライン導体２が配置されている側と反対の面）には、給電ポート（給電部）６と整合終端ポート（整合終端部）７が配置されている。
【００２９】
前記給電ポート６及び整合終端ポート７は公知の同軸ケーブルとして構成されており、給電ポート６は図略の給電装置に、整合終端ポート７は図略の整合負荷に、それぞれ接続されている。前記給電ポート６の同軸ケーブルは、中心導体６ａと、当該中心導体６ａの周囲に同軸状に配置される同軸外導体６ｂと、中心導体と同軸外導体の間に配置される図略の絶縁体と、を備えている。また、整合終端ポート７の同軸ケーブルも同様に、中心導体７ａと、同軸外導体７ｂと、図略の絶縁体と、を備えている。
【００３０】
グランド導体３の前記第１接続部２ａ及び第２接続部２ｂに対応する位置には、図略の挿通孔が形成されている。そして、給電ポート６の中心導体６ａ及び整合終端ポート７の中心導体７ａは、グランド導体３の裏面から表面（マイクロストリップライン導体２が配置されている側の面）に前記挿通孔を介して通され、中心導体６ａは第１接続部２ａに、中心導体７ａは第２接続部２ｂに、それぞれ電気的に接続されている。なお、中心導体６ａ及び７ａは、前記挿通孔を非接触で通過しており、グランド導体３に対しては非接続であるように構成されている。
【００３１】
また、給電ポート６の同軸外導体６ｂ及び整合終端ポート７の同軸外導体７ｂは、それぞれグランド導体３と電気的に接続されている。
【００３２】
マイクロストリップライン導体２の上側（マイクロストリップライン導体２から見て前記グランド導体３の反対側）には、誘電体４１が配置（装荷）されている。この誘電体４１は、マイクロストリップライン導体２のＣ字型ループを含む平面と直交する直線を軸とする回転体状に（具体的には半球状に）形成されている。
【００３３】
以上の構成で、前記給電装置によって高周波電流を供給することにより、マイクロストリップライン導体２に進行波を伝播させることができる。そして、マイクロストリップライン導体２のループ１周の電気的な長さを波長とほぼ一致させることにより、円偏波を発生させて、誘電体４１を介して放射させることができる。
【００３４】
なお、マイクロストリップライン導体２に対して上記のように給電装置及び整合負荷を接続すると右旋円偏波が発生するが、給電装置及び整合負荷の接続先を逆にすることにより左旋円偏波を発生させることができる。また、例えば適宜のスイッチを設けることにより、上記接続先を切替可能とし、右旋と左旋の両方の円偏波に対応できるようにすることもできる。
【００３５】
次に、本実施形態のマイクロストリップラインアンテナ１１の構成を更に具体的に説明する。この実施形態のマイクロストリップラインアンテナ１１は、５．８ＧＨｚ帯の右旋円偏波マイクロストリップラインアンテナとして構成されたものである。なお、以下で説明するマイクロストリップラインアンテナ１１の寸法、形状などは、使用する帯域に応じて適宜変更可能であることは勿論である。
【００３６】
以下、主に図３を参照して説明する。マイクロストリップライン導体２は、一定の厚みを有し、当該マイクロストリップライン導体が構成するＣ字型ループの直径方向の線幅Ｗ１が５ｍｍで一定の円弧形状（Ｃ字形）となるように形成されている。前記Ｃ字の外径Ｄ１は２２．５ｍｍ、内径Ｄ２は１２．５ｍｍである。
【００３７】
グランド導体３は、縦幅Ｌ１及び横幅Ｌ２を何れも６０ｍｍとし、マイクロストリップライン導体２の外径Ｄ１に対して相当に大きいサイズとされている。また、マイクロストリップライン導体２とグランド導体３との間の空隙５の大きさ（図２で示す高さｈ１）は、１ｍｍとなっている。
【００３８】
誘電体４１は、半球状に形成されるとともに、当該半球の直径がマイクロストリップライン導体２の外径Ｄ１＝２２．５ｍｍと一致するように構成されている。また、誘電体４１はその比誘電率が６となるように構成されている。そして、この誘電体４１は、前記半球の底面がマイクロストリップライン導体２の方向を向くとともに、当該半球の底面がマイクロストリップライン導体２のＣ字型ループを含む平面と平行となるようにして、当該マイクロストリップライン導体２上に装荷されている。また、整合終端ポート７に接続されている図略の整合負荷は５０Ωとされている。
【００３９】
以上のようにマイクロストリップラインアンテナ１１を構成することにより、マイクロストリップライン導体２の１周の電気的な長さが概ね５．８ＧＨｚ帯の１波長分とされている。
【００４０】
図４及び図５は、本実施形態のマイクロストリップラインアンテナ１１を用いた場合の特性について示したものである。図４（ａ）は本実施形態のマイクロストリップラインアンテナ１１の天頂方向における軸比の周波数特性のシミュレーション結果、図５（ａ）は本実施形態のマイクロストリップラインアンテナ１１の利得周波数特性のシミュレーション結果をそれぞれ示したグラフである。また、本実施形態のマイクロストリップラインアンテナ１１と比較するため、図１０に示すような、誘電体を備えていない単一ループマイクロストリップラインアンテナ１０のシミュレーション結果も図４（ｂ）、図５（ｂ）に併せて示した。なおこの比較対象の単一ループマイクロストリップラインアンテナ１０は、誘電体を備えていないことを除いて本実施形態のマイクロストリップラインアンテナ１１と同様の構成であるので、詳細な説明は省略する。
【００４１】
まず、図４に示した天頂方向における軸比の周波数特性について説明する。グラフの縦軸は円偏波の長軸と短軸の軸比であり、長軸の長さと短軸の長さが一致する完全円偏波の軸比が０ｄＢである。また一般に、円偏波アンテナとして良好な特性を得ることができる軸比は３ｄＢ以下とされる。
【００４２】
図４（ａ）に示すように、誘電体４１を備えたマイクロストリップラインアンテナ１１の軸比３ｄＢ帯域幅は比帯域１２％以上であった。一方、図４（ｂ）に示すように、誘電体を備えない単一ループマイクロストリップラインアンテナ１０の軸比３ｄＢ帯域幅は比帯域１４％以上であった。以上のように、誘電体４１の装荷によりマイクロストリップラインアンテナの特徴である広帯域特性は若干劣化するものの、依然として軸比３ｄＢ帯域幅を比帯域で１２％以上確保しており、極めて良好であることが判る。
【００４３】
また、図４（ａ）に示すように、誘電体４１を備えたマイクロストリップラインアンテナ１１の最適軸比は０．５ｄＢ（周波数＝５．７５ＧＨｚのときの値）であった。一方、図４（ｂ）に示すように、誘電体を備えない単一ループマイクロストリップラインアンテナ１０の最適軸比は１．９ｄＢ（周波数＝６．２５ＧＨｚのときの値）であった。以上のように、誘電体の装荷により最適軸比が１．９ｄＢから０．５ｄＢに改善されていることが判る。
【００４４】
次に、図５に示した天頂方向における絶対利得の周波数特性について説明する。図５（ｂ）に示すように、誘電体を備えない単一ループマイクロストリップラインアンテナ１０は、最適軸比周波数（６．２５ＧＨｚ）における絶対利得が１．９ｄＢｉであり、低い放射効率であるといえる。一方、図５（ａ）に示すように、誘電体４１を備えたマイクロストリップラインアンテナ１１は、最適軸比周波数（５．７５ＧＨｚ）における絶対利得が８．４ｄＢｉであった。以上のように、誘電体の装荷により放射効率が大幅に向上した。また、図５（ａ）に示すように、マイクロストリップラインアンテナ１１は絶対利得８ｄＢｉの帯域が比帯域で１２％以上確保できており、非常に広帯域な特性を得ることができている。
【００４５】
以上に説明したように、本実施形態のマイクロストリップラインアンテナ１１は、マイクロストリップライン導体２と、グランド導体３と、誘電体４１と、を備えている。マイクロストリップライン導体２は、その一端と他端を近接させてループ状に形成され、当該ループの１周の長さが概ね１波長である。グランド導体３は、マイクロストリップライン導体２と平行に配置される。誘電体４１は、マイクロストリップライン導体２から見てグランド導体３が配置されている側と反対側に配置される。
【００４６】
これにより、マイクロストリップラインアンテナの特徴である広帯域性を損なうことなく、誘電体４１を配置することにより利得を向上させることができる。従って、１素子で高利得かつ広帯域を実現する円偏波マイクロストリップラインアンテナ１１を提供することができる。また、１素子で高利得を実現できるためにアレイ化する必要がなく、これにより小型で広い指向角を持つアンテナを提供することができる。
【００４７】
また、本実施形態のマイクロストリップラインアンテナ１１において、誘電体４１は回転体状に形成されている。
【００４８】
これにより、良好に円偏波を発生させることができる。
【００４９】
また、本実施形態のマイクロストリップラインアンテナ１１において、誘電体４１は半球状に形成されている。
【００５０】
即ち、誘電体４１を上記のように構成することにより、マイクロストリップラインアンテナの特徴である広帯域特性を維持しつつ、放射効率を大幅に向上させることができる。
【００５１】
また、本実施形態のマイクロストリップラインアンテナ１１において、誘電体４１の外形は、マイクロストリップライン導体２の外径Ｄ１と略一致するように構成されている。
【００５２】
これにより、マイクロストリップライン導体２から誘電体４１に対して良好に給電することができる。
【００５３】
また、本実施形態のマイクロストリップラインアンテナ１１において、マイクロストリップライン導体２は、一端が給電ポート６に接続され、他端は整合終端ポート７に接続されている。
【００５４】
即ち、マイクロストリップラインは整合ラインで良く、送受信回路との接続にインピーダンス変換回路を必要としないため、上記のように構成することが好適である。
【００５５】
なお、前記マイクロストリップラインアンテナ１１は、給電ポート６及び整合終端ポート７の接続先であるマイクロストリップライン導体２の両端を切替可能に構成することもできる。
【００５６】
この場合、機器の用途等に応じて、右旋円偏波と左旋円偏波を切り替えて容易に対応することができる。
【００５７】
次に、上記実施形態の変形例について、図６から図８までを参照して説明する。図６は本実施形態に係るマイクロストリップラインアンテナ１２の外観斜視図、図７はマイクロストリップラインアンテナ１２の側面図、図８はマイクロストリップラインアンテナ１２の平面図である。図に示すように、本実施形態のマイクロストリップラインアンテナ１２においては、誘電体４２を円柱状に構成している。なお、前述の実施形態と同一又は類似の構成については前記実施形態と同一の符号を付し、説明を省略する場合がある。
【００５８】
マイクロストリップライン導体２は、一定の厚みを有し、当該マイクロストリップライン導体が構成するＣ字型ループの直径方向の線幅Ｗ２が４ｍｍで一定の円弧形状（Ｃ字形）となるように形成されている。前記Ｃ字の外径Ｄ３は２１ｍｍ、内径Ｄ４は１３ｍｍである。
【００５９】
グランド導体３は、縦幅Ｌ１及び横幅Ｌ２を何れも６０ｍｍとし、マイクロストリップライン導体２の外径Ｄ３に対して相当に大きいサイズとされている。また、マイクロストリップライン導体２とグランド導体３との間の空隙５の大きさ（図２で示す高さｈ１）は、１ｍｍとなっている。
【００６０】
誘電体４２は、円柱状に形成されるとともに、その直径がマイクロストリップライン導体２の外径Ｄ３＝２１ｍｍと一致するように構成されている。また、当該円柱の高さ（図２で示す高さｈ２）は８ｍｍとされる。
【００６１】
以上のように構成されたマイクロストリップラインアンテナ１２の特性を図９に示す。図９（ａ）は本実施形態のマイクロストリップラインアンテナ１２の天頂方向における軸比の周波数特性のシミュレーション結果、図９（ｂ）は本実施形態のマイクロストリップラインアンテナ１２の利得周波数特性のシミュレーション結果をそれぞれ示したグラフである。
【００６２】
図９（ａ）に示すように、円柱状の誘電体４２を備えたマイクロストリップラインアンテナ１２の軸比３ｄＢ帯域幅は比帯域８．８％であった。また、図９（ａ）に示すように、誘電体４２を備えたマイクロストリップラインアンテナ１２の最適軸比は０．９ｄＢ（周波数＝５．６５ＧＨｚのときの値）であった。以上のように、円柱状の誘電体４２を備えた本実施形態のマイクロストリップラインアンテナ１２においても、誘電体の装荷により最適軸比が改善された。
【００６３】
また、図９（ｂ）に示すように、誘電体４２を備えたマイクロストリップラインアンテナ１２は、最適軸比周波数（５．６５ＧＨｚ）における絶対利得が７．９ｄＢｉであった。以上のように、本実施形態のマイクロストリップラインアンテナ１２においても、誘電体４２の装荷により放射効率が大幅に向上している。また、図５（ａ）に示すように、マイクロストリップラインアンテナ１２は絶対利得７ｄＢｉの帯域が比帯域で１４．３％確保できており、非常に広帯域な特性を得ることができている。
【００６４】
以上に本発明の好適な実施の形態及びその変形例について説明したが、上記の構成は例えば以下のように変更することができる。
【００６５】
マイクロストリップライン導体２の形状は、Ｃ字形（一部を切り欠いた円形）に限らない。１周が概ね１波長のループ状であれば、例えば一部を切り欠いた多角形状に構成することができる。
【００６６】
空隙５に代えて誘電体基板を配置し、当該誘電体基板にマイクロストリップライン導体２及びグランド導体３を一体形成する構成に変更することができる。なお、このように構成を変更した場合にはマイクロストリップライン導体２の電気的な長さが変わるため、マイクロストリップライン導体２や誘電体４１等の形状及び寸法等を適宜変更する。
【００６７】
給電方式はグランド導体３の背面からの同軸給電のほか、マイクロストリップライン導体２と同一層でライン給電する構成（回路系と直接接続する構成）でも良い。
【００６８】
上記実施形態では送信アンテナとしての構成を説明したが、第１接続部２ａに給電装置に代えて受信回路を接続することにより、マイクロストリップラインアンテナ１１を受信アンテナとして機能させることができる。
【図面の簡単な説明】
【００６９】
【図１】本発明の一実施形態に係るマイクロストリップラインアンテナの外観斜視図。
【図２】本実施形態のマイクロストリップラインアンテナの側面図。
【図３】本実施形態のマイクロストリップラインアンテナの平面図。
【図４】（ａ）本実施形態のマイクロストリップラインアンテナの天頂方向における軸比の周波数特性を示すグラフ。（ｂ）比較対象の単一ループマイクロストリップラインアンテナの天頂方向における軸比の周波数特性を示すグラフ。
【図５】（ａ）本実施形態のマイクロストリップラインアンテナの天頂方向における絶対利得の周波数特性を示すグラフ。（ｂ）比較対象の単一ループマイクロストリップラインアンテナの天頂方向における絶対利得の周波数特性を示すグラフ。
【図６】別の実施形態のマイクロストリップラインアンテナの外観斜視図。
【図７】別の実施形態のマイクロストリップラインアンテナの側面図。
【図８】別の実施形態のマイクロストリップラインアンテナの平面図。
【図９】（ａ）別の実施形態のマイクロストリップラインアンテナの天頂方向における軸比の周波数特性を示すグラフ。（ｂ）別の実施形態のマイクロストリップラインアンテナの天頂方向における絶対利得の周波数特性を示すグラフ。
【図１０】比較対象の単一ループマイクロストリップラインアンテナの斜視図。
【図１１】従来のマイクロストリップラインアンテナの構成を示す斜視図。
【符号の説明】
【００７０】
１１，１２  マイクロストリップラインアンテナ
２  マイクロストリップライン導体
３  グランド導体
４１，４２  誘電体
５  空隙
６  給電ポート（給電部）
７  整合終端ポート（整合終端部）
【図１】
2010041465.tif 000003
【図２】
2010041465.tif 000004
【図３】
2010041465.tif 000005
【図４】
2010041465.tif 000006
【図５】
2010041465.tif 000007
【図６】
2010041465.tif 000008
【図７】
2010041465.tif 000009
【図８】
2010041465.tif 000010
【図９】
2010041465.tif 000011
【図１０】
2010041465.tif 000012
【図１１】
2010041465.tif 000013